(57)【要約】【課題】陸上競技等の練習の際に使用して、１着のタイムと着順確認ができる着順判定装置を、特別な専用機材を使わずに、安価に提供する。【解決手段】遠隔操作装置３０と撮像装置５０からなり、遠隔操作装置３０はその内部に報知手段３２と発信手段３４を備えている。撮像装置５０は受信手段５１、計時手段５２、撮像手段５３、検出手段５５、表示手段５８および記録手段５９を備えている。検出手段５５は、撮影レンズの撮影画角範囲の中央部分に、より狭い範囲の検出エリアを設定し、この範囲の映像の変化をリアルタイムに監視している。撮像手段５３が撮影した映像は検出手段５５に順次送られ、一時保存手段に保存されている１つ前の映像と比較演算される。競技者がゴールライン２３に到達すると、競技者が検出エリア４５に入り、検出エリア４５内の映像が変化する。【選択図】図２
2007301296.tif 000002
【特許請求の範囲】
【請求項１】
撮影映像を連続して記録可能な撮像装置において、
遠隔操作装置からのスタート信号を受信する受信手段と、受信したスタート信号により計測を開始する計時手段と、計時手段の計測開始から撮影を開始する撮像手段と、撮影した映像を一時的に保存する一時保存手段と、撮影した映像と一時保存手段に保存した直前の映像との比較を行いその変化を検出する検出手段と、検出手段によって変化が検出された時に前記計時手段の計測と前記撮像手段の撮影を停止させる停止信号発生手段と、検出手段によって変化が検出された時の映像と前記計時手段の計測した時間とを記録する記録手段とによって構成されたことを特徴とする撮像装置。
【請求項２】
前記計時手段の計測した時間は、前記撮像手段の撮影した映像を表示する表示手段の所定位置に前記映像と同時に表示されることを特徴とする請求項１記載の撮像装置。
【請求項３】
遠隔操作装置と撮像装置とからなる着順判定システムにおいて、
前記遠隔操作装置は音あるいは光によって競技者にスタートを知らせる報知手段と、撮像装置にスタート信号を送る発信手段とを備え、
前記撮像装置は撮影映像を連続して記録可能な撮像装置であって、遠隔操作装置からのスタート信号を受信する受信手段と、受信したスタート信号により計測を開始する計時手段と、計時手段の計測開始から撮影を開始する撮像手段と、撮影した映像を一時的に保存する一時保存手段と、撮影した映像と一時保存手段に保存した直前の映像との比較を行いその変化を検出する検出手段と、検出手段によって変化が検出された時に前記計時手段の計測と前記撮像手段の撮影を停止させる停止信号発生手段と、検出手段によって変化が検出された時の映像と前記計時手段の計測した時間とを記録する記録手段を備えたことを特徴とする着順判定システム。
【発明の詳細な説明】
【技術分野】
【０００１】
本発明は陸上競技等における着順およびタイム判定装置に関するものである。
【背景技術】
【０００２】
従来の技術については、例えば下記特許文献１に開示された「判定装置」をはじめ、その改良技術として下記特許文献２に開示された「電子式即時判定装置」などがある。
【０００３】
これらは、ゴールライン等の判定基準線を通過する移動体をこの基準線に合わせて撮影するリニアセンサーカメラを用い、このカメラの出力を走査変換機能を有する記憶部に供給し、着順判定に必要な時間情報等とともに内部の画像メモリーに記憶し、リニアセンサーカメラの一次元の映像信号を二次元の映像信号に走査変換して着順判定に必要な時間情報等とともに記憶部より読みだし、ビデオモニタに出力するものである。着順判定に必要な時間情報は、外部からのタイマースタート信号により内部タイマーの計時動作を開始し、記憶した画像とともに時系列的に記録される。
【０００４】
これらの従来技術では、タイマースタート信号が入力されてからタイマーの計時動作が開始されるまでの時間のずれ、バラツキがあり、タイマースタートの精度は、電気的および機械的な精度および装置自体の性能で決定されるが、特に毎回競技のスタート時のタイマースタート信号とタイマーの計時動作開始のタイミングは記録されていなかったため、精度の確認は行えなかった。
【０００５】
そこで上記装置の改良技術として下記特許文献３に開示された「着順およびタイム判定装置」がある。ここでは、スタート時のタイマースタートのタイミングの画像により、タイマースタート信号と同期して発光するストロボ照明の発光時の時間と計時動作開始時間を比較することにより、スタートタイミングの精度の確認が行える。また、スタート時のストロボ照明発光時とタイマースタートのタイミングとともにゴール時の映像を記録することにより、スタート精度の確認および検証ができるとともに、タイマースタートがずれていた場合でもストロボ発光時からゴールまでのタイムを計測することにより時間の補正が可能となり、精度の高いタイム計測を行うことができる。
【特許文献１】特公昭５５−２４８３１号公報
【特許文献２】特開平３−１３９３７４号公報
【特許文献３】特開平９−１２１３４４号公報
【発明の開示】
【発明が解決しようとする課題】
【０００６】
前述の従来技術では、正しく競技用の測定装置であって、その測定精度はかなり厳しく要求されている。従ってそれに使用する装置が専用装置であり、機材が大掛かりであるため、非常に高価となっている。誰もが購入できるものではなく、安易に使用することが難しい状況であった。
【０００７】
本発明は学校のクラブ活動などでの陸上競技の練習の際に使用して、１着のタイムと着順確認ができる判定装置を、安価に提供することを目的とする。
【課題を解決するための手段】
【０００８】
本発明は上記の目的を達成するため、ゴールライン等の判定基準線上を通過する競技者を撮影し、連続して記録可能な撮像装置と、音あるいは光によって競技者にスタートを知らせる報知手段と撮像装置にスタート信号を送る発信手段とを備えた遠隔操作装置からなる。
【０００９】
撮像装置は、遠隔操作装置からのスタート信号を受信する受信手段と、受信したスタート信号により計測を開始する計時手段と、計時手段の計測開始から撮影を開始する撮像手段と、撮影した映像を一時的に保存する一時保存手段と、撮影した映像と一時保存手段に保存した直前の映像との比較を行いその変化を検出する検出手段と、検出手段によって変化が検出された時の映像を記録手段に記録するとともに、計時手段の計測した時間を記録手段に記録する。
【００１０】
また撮像装置の表示手段によって、記録した映像を即時確認することができる。
【発明の効果】
【００１１】
本発明による撮像装置および遠隔操作装置と撮像装置とからなる着順判定システムによれば、学校のクラブ活動などでの陸上競技の練習の際に、１着のタイムと着順確認ができる判定装置を、安価に提供することができる。
【発明を実施するための最良の形態】
【００１２】
本発明による着順判定システムの構成について説明する。本発明の着順判定システムは遠隔操作装置３０と撮像装置５０からなる。遠隔操作装置３０はその内部に報知手段３２と発信手段３４を備えている。撮像装置５０は受信手段５１、計時手段５２、撮像手段５３、検出手段５５、表示手段５８および記録手段５９を備えている。
【００１３】
検出手段５５は、撮影レンズの撮影画角範囲の中央部分に、より狭い範囲の検出エリアを設定し、この範囲の映像の変化をリアルタイムに監視している。撮像装置５０は、ゴールライン２３が撮影画角の中央にくるように配置されるため、検出手段５５の検出エリアは、画角中心よりやや左に寄っており、ゴールライン２３がその検出エリアの右側付近に位置するようになっている。
【００１４】
次に本発明による撮像装置および着順判定システムの作用について説明する。図１に示すように競技者１１は競技用トラック２０に引かれたスタートライン２１の手前に立っている。計測者は遠隔操作装置３０を持ち、スタートライン２１の脇に立つ。
【００１５】
競技用トラック２０のかなたにはゴールライン２３が引かれている。ゴールライン２３の脇には撮像装置５０が配置され、そのゴールライン２３を中央にゴールライン２３付近の映像が写るようにしてある。
【００１６】
いま計測者が遠隔操作装置３０のスタートボタンを押すとスイッチ３１がＯＮし、遠隔操作装置３０に内蔵された報知手段３２によってスタートを合図する大きな音と光が競技者１１に向かって発せられる。と同時に発信手段３４から撮像装置５０に向かってスタート信号が発信される。
【００１７】
撮像装置５０に内蔵された受信手段５１がスタート信号を受信すると、計時手段５２は計測をスタートさせる。そして計測スタートに続いて撮像手段５３が撮影をスタートする。撮像手段５３が撮影した映像は検出手段５５に順次送られ、一時保存手段５６に保存されている１つ前の映像と比較演算される。
【００１８】
最初の映像は比較する映像がないので、比較演算されることなく一時保存手段５６に保存される。比較演算した結果、変化が検出されなかった時は、新しい映像が一時保存手段５６に上書き保存される（図２参照）。
【００１９】
計時手段５２の計測する時間と撮像手段５３が撮影する映像は、リアルタイムに表示手段５８に表示される。最初の映像は図３に示すように、表示手段５８の画面４０の中央を睨む検出エリア４５には競技用トラック２０の白線だけが写っている。また画面４０の左下には、計時手段５２によって計測された時間が表示される計時枠４７が配置されている。
【００２０】
競技がスタートし競技者１１がゴールライン２３に到達すると、競技者１１が検出エリア４５に入るので（図４参照）、検出エリア４５内の映像が変化する。このとき画面４０の左下の計時枠４７には、ゴールまでの時間が表示される。
【００２１】
競技者１１がゴールライン２３に到達し検出エリア４５内の映像に変化が生じると、検出手段５５は比較演算によって変化を検出し、それを受けて停止信号発生手段５７が停止信号を計時手段５２に送り、計測を停止させる。これにより計時手段５２が計測を停止するとともに、撮像手段５３の連続撮影を停止する。また検出手段５５によって変化が検出された時の映像と計時手段５２によって計測された時間は、表示手段５８に表示された状態で残り、この情報が記録手段５９に記録される。
【００２２】
これで１回の競技の計測と記録が終了する。この競技の開始から終了までのフローチャートを図５に示す。
【００２３】
以上のように本発明の撮像装置および着順判定システムは、大掛かりな機材を使用するものではなく、非常に安価であるため、誰もが購入でき、安易に使用することが可能である。そして学校のクラブ活動などでの陸上競技の練習の際に使用して、１着のタイムと着順の確認ができるので、競技後、着順判定でもめることもなくなる。
【図面の簡単な説明】
【００２４】
【図１】本発明の着順判定システムを示す図である。
【図２】本発明の着順判定システムのブロック図である。
【図３】本発明の撮像装置の表示手段に現れる競技スタート時の映像を示す図である。
【図４】本発明の撮像装置の表示手段に現れる競技者がゴールした時の映像を示す図である。
【図５】本発明の着順判定システムの競技開始から終了までのフローチャートを示す。
【符号の説明】
【００２５】
３０  遠隔操作装置
３２  報知手段
３４  発信手段
４５  検出エリア
５０  撮像装置
５１  受信手段
５２  計時手段
５３  撮像手段
５５  検出手段
５８  表示手段
５９  記録手段
【図１】
2007301296.tif 000003
【図２】
2007301296.tif 000004
【図３】
2007301296.tif 000005
【図４】
2007301296.tif 000006
【図５】
2007301296.tif 000007